(57)【要約】【課題】筋力トレーニングが難しい高齢者でも気軽に利用でき、かつ、総合的なバランス能力を向上させることが出来るバランス訓練用歩行具を提供することを目的とするものである。【解決手段】本体部３と、該本体部３上に取外し可能に設ける歩行面形成用の構成部品とからなり、前記構成部品として、歩行面が異なるものを複数種類用意し、前記複数の構成部品の中から所望の構成部品５、７、９を選択し、その選択した構成部品５、７、９を前記本体部３に取付け、該取付けた構成部品５、７、９の上面４、６、８によりバランス訓練用歩行面２を形成する。【選択図】図１
2007143775.tif 000002
【特許請求の範囲】
【請求項１】
本体部と、該本体部上に取外し可能に設ける歩行面形成用の構成部品とからなり、
前記構成部品として、歩行面が異なるものを複数種類用意し、
前記複数の構成部品の中から所望の構成部品を選択し、その選択した構成部品を前記本体部に取付け、該取付けた構成部品の上面によりバランス訓練用歩行面を形成するようにしたことを特徴とするバランス訓練用歩行具。
【請求項２】
前記側枠に沿って手すりを設けたことを特徴とする請求項１記載のバランス訓練用歩行具。
【発明の詳細な説明】
【技術分野】
【０００１】
本発明は、バランス訓練用歩行具に関するものである。
【背景技術】
【０００２】
従来、高齢者が健康増進のために使用できる運動施設や遊具として、特許文献１記載の健康増進遊具が提案されている。該健康増進遊具は、円形の歩行面が形成され、この歩行面における左右部を昇り降りできる階段に形成し、左右の階段の最上段を繋ぐ踊り場が形成されている。
【特許文献１】実登第３０７２８９４号公報
【発明の開示】
【発明が解決しようとする課題】
【０００３】
高齢者になるとバランス能力が低下し、転倒し易くなり、転倒により下肢等を骨折して入院すると、そのまま寝たきりの状態となってしまうことが少なくない。そのため、高齢者のバランス能力を向上させることにより、転倒し難くすることが望まれている。    
【０００４】
現在、転倒の予防として、筋力トレーニングを主としたパワーリハビリというものが、老人医療、介護の分野では取り入れられている。しかし、転倒予防の訓練としては筋力トレーニングだけでは不充分であり、バランス能力向上の訓練も必要である。一方、筋力トレーニングが難しい高齢者に対し、どのような訓練を施してよいかが問題となっている。
【０００５】
特許文献１記載のような運動施設や遊具は、筋力トレーニングが難しい高齢者でも使用する事は出来るが、健康の増進を主目的としており、全身の総合的なバランス能力の向上という観点では効果が少ない。
【０００６】
そこで、本発明は、筋力トレーニングが難しい高齢者でも気軽に利用でき、かつ、総合的なバランス能力を向上させることが出来るバランス訓練用歩行具を提供することを目的とするものである。
【課題を解決するための手段】
【０００７】
前記の課題を解決するために、請求項１記載の発明は、本体部と、該本体部上に取外し可能に設ける歩行面形成用の構成部品とからなり、
前記構成部品として、歩行面が異なるものを複数種類用意し、
前記複数の構成部品の中から所望の構成部品を選択し、その選択した構成部品を前記本体部に取付け、該取付けた構成部品の上面によりバランス訓練用歩行面を形成するようにしたことを特徴とするものである。
【０００８】
請求項２記載の発明は、請求項１記載の発明において、前記側枠に沿って手すりを設けたことを特徴とするものである。
【発明の効果】
【０００９】
本体部を共通部品として、構成部品を取り替えることのみで、他のバランス訓練用歩行具へと容易に変更できる。これにより、構成部品を複数種類所有し、所望の構成部品を本体部に組付けることにより、週単位又は日単位で歩行訓練のメニューを変更でき、歩行訓練に変化をもたらすことができる。また、訓練者の状態に応じて、構成部品を組み替えることにより、容易に歩行訓練のメニューを変更できる。また、複数のバランス訓練用歩行具を設置できない場合においても、１つの本体部に対して構成部品を組み替えることで複数の訓練メニューを実施できる。また、複数のバランス訓練用歩行具を購入する必要がなく、１つの本体部と複数の構成部品を購入するだけでよいため、コストを削減できる。また、本体部を共通化することにより、製造コストを削減できる。
【００１０】
請求項２記載の発明によれば、更に、手すりが配設されていることにより、筋力トレーニングが難しい高齢者でも、手すりに掴まりながら歩行でき、躓いて転倒することが少なく、バランス訓練用歩行面の上を安全に歩行できる。
【発明を実施するための最良の形態】
【００１１】
本発明を実施するための最良の形態を図に示す実施例に基づいて説明する。
【実施例１】
【００１２】
図１乃至図１２は実施例１を示す。
図１は、本実施例１のバランス訓練用歩行具１の斜視図である。
【００１３】
バランス訓練用歩行具１は、本体部３と、基準面Ｗとなる水平面４を有する第１構成部品５と、凸状曲面６を有する第２構成部品７と、凹状曲面８を有する第３の構成部品９とで構成されている。これらの構成部品５、９、７、９、５を歩行方向に配置することにより、バランス訓練用歩行面２が形成されている。バランス訓練用歩行面２は、構成部品５、７、９の上面である水平面４と凸状曲面６と凹状曲面８により構成されている。
【００１４】
本体部３は、図１乃至図３に示すように構成されている。なお、本体部３は歩行路を形成するもので、一方向に所望の長さを有する長尺に形成され、使用者が、その長手方向のいずれか一方から入り、他方から出るようになっている。したがって、本体部３の前後方向は特定できないが、説明上、図１のＡ側を前側とし、Ｂ側を後側とする。
【００１５】
前記本体部３は木製で形成され、一対の側枠１０ａ、１０ｂを有し、該一対の側枠１０ａ、１０ｂ間の下部の前端には前棧１１が設けられ、後端には後棧１２が設けられている。また、前記一対の側枠１０ａ、１０ｂ間の下部で、前記前棧１１と後棧１２との間には、所定の間隔で中間棧１４が複数設けられている。前棧１１、後棧１２、中間棧１４は、ボルト１５により側枠１０ａ、１０ｂに固着されている。側枠１０ａ、１０ｂの前後方向の長さは任意である。
【００１６】
側枠１０ａ、１０ｂの両外側には支柱１７、１７が所定の間隔で立設され、支柱１７、１７に側枠１０ａ、１０ｂがボルト１９により固着されている。側枠１０ａ、１０ｂ、の下面と地面との間には空間２１が設けられ、本実施例においては、側板１０ａ、１０ｂの下端と地面との間の距離Ｌ１は、５０ｍｍに設定されている。前記前棧１１、後棧１２、中間棧１４の下面と地面との間には脚２２が配設され、前棧１１、後棧１２、中間棧１４の下面と地面との間には空間２１が形成されている。
【００１７】
左右の支柱１７、１７の上部の内側で、かつ、最前端の支柱１７から最後端の支柱１７間に亘って、手すり２４、２４が略平行に設けられている。手すり２４、２４間の距離Ｌ２は、手すり２４と２４間の略中心に人が立った場合に、左右の手すり２４、２４に楽に両手が届く距離に設定され、本実施例においては５５４ｍｍに設定されている。
【００１８】
前記第１構成部品５は木製で、図４、図５に示すように、前枠３０と後枠３１を有し、前枠３０と後枠３１間に側板３２、３２が前後方向に配設され、側板３２、３２間の略中央に棧３３が前後方向に配設されている。側板３２、３２と棧３３は、前枠３０、後枠３１にボルト３５により固着されている。前枠３０と後枠３１の左右の両側部には、ボルト挿通穴３０ａ、３１ａが設けられ、ボルト挿通穴３０ａ、３１ａには、丸ナット３０ｂ、３１ｂが固設されている。
【００１９】
前枠３０と後枠３１の横幅は、本体部３の側枠１０ａ、１０ｂ間の距離（内のり寸法）よりも若干狭く設定されている。また、第１構成部品５を、本体部３の側枠１０ａ、１０ｂ間で、かつ、前枠３０を本体部３の前棧１１の上面に載置した時に、後枠３１が本体部３の中間棧１４の上面に載置するように設定されている。
【００２０】
前枠３０と後枠３１と側板３２、３２と棧３３の上面は、略同一平面に形成されている。前枠３０と後枠３１と側板３２、３２と棧３３の上面で、側板３２、３２間に亘って踏み板３６が所定の間隔で配設され、踏み板３６は、前枠３０と後枠３１と側板３２、３２と棧３３にボルト３７により固着されている。各踏み板３６の上面は略同一平面に配置されて水平面４を形成し、該水平面４が基準面Ｗを形成している。
【００２１】
前記第２構成部品７は木製で、図６、図７に示すように、前枠４０と後枠４１を有し、前枠４０と後枠４１間に側板４２、４２が配設され、側板４２、４２は、前枠４０、後枠４１にボルト４３により固着されている。前枠４０と後枠４１の横幅は、前記第１構成部品５の前枠３０と後枠３１の横幅と略同等に設定されている。また、前枠４０と後枠４１は、前記本体部３の中間棧１４の上面に載置するように設定されている。前記側板４２、４２間には、所定の間隔で受棧４４が複数配設され、受棧４４は側板４２、４２にボルト４８により固着されている。前枠４０と後枠４１の左右の両側部には、ボルト挿通穴４０ａ、４１ａが設けられ、ボルト挿通穴４０ａ、４１ａには、丸ナット４０ｂ、４１ｂが固設されている。
【００２２】
前枠４０と受棧４４は、図８に示すように、その上面を、左右方向の中央部（基準線）Ｘに向って上方に傾斜する傾斜面４５ａ、４５ｂとした凸状の五角形に形成されている。左右の傾斜面４５ａ、４５ｂと基準面Ｗとのそれぞれの角度α、βは略同じ値となるように設定してもよいし、異なる値に設定しても良いが、本実施例１においてはα＝βに設定されている。
【００２３】
前枠４０における傾斜面４５ａ、４５ｂの傾斜角度、すなわち、基準面Ｗとの角度（以下、傾斜角度ともいう）α、βは、所望に設定し、本実施例１においては、α＝β＝２．５°に設定されている。また、後枠４１における傾斜面４５ａ、４５ｂと基準面Ｗとの角度（以下、傾斜角度ともいう）α、βは、所望に設定し、本実施例１においては、α＝β＝約２．５°に設定されている。
【００２４】
最前端と最後端に位置する受棧４４ｃ、４４ｄにおける傾斜面４５ａ、４５ｂと基準面Ｗとの角度α、βは、前枠４０と後枠４１における傾斜面４５ａ、４５ｂの傾斜角度α、βよりも大きく設定し、本実施例１においては５°に設定されている。各受棧４４における傾斜面４５ａ、４５ｂの傾斜角度α、βは、前枠４０側から前後方向の中間に位置する受棧４４ｅに至るほど徐々に増加し、所定の最大の傾斜角度となるまで増加するように設定され、所定の最大の傾斜角度に至った後は、後枠４１に至るほど徐々に減少するように設定されている。本実施例１においては、隣接する受棧４４における傾斜面４５ａ、４５ｂの傾斜角度α、βとの差は２．５度に設定され、中間に位置する受棧４４ｅにおける最大の傾斜角度は１２．５度に設定されている。つまり、最前端に位置する受棧４４ｃの傾斜面４５ａ、４５ｂの傾斜角度α、βは５度に設定され、受棧４４における傾斜面４５ａ、４５ｂの傾斜角度α、βは、中間に位置する受棧４４ｅに至るほど２．５度ずつ徐々に増加していき、最大の傾斜角度は１２．５度となるまで増加する。また、中間に位置する受棧４４ｅから後枠４１に至る受棧４４における傾斜面４５ａ、４５ｂの傾斜角度α、βは、中間に位置する受棧４４ｅにおける最大の傾斜角度１２．５度から後枠４１に至るほど２．５度ずつ徐々に減少していき、最後端に位置する受棧４４ｄの傾斜面４５ａ、４５ｂの傾斜角度α、βは５度に設定されている。
【００２５】
前枠４０と後枠４１と受棧４４における傾斜面４５ａ、４５ｂの上面には、各々略同じ大きさの踏み板４７、４７が設けられている。踏み板４７は、その下面に溝を設け、該溝に前記前枠４０、後枠４１、受棧４４を嵌合して、傾斜面４５ａ、４５ｂの上面にボルト４９により固着されている。踏み板４７の前後方向の幅は、受棧４４、４４間の距離よりも若干短く設定され、踏み板４７の左右方向の幅は、前記傾斜面４５ａ、４５ｂの左右方向の長さより多きく設定されている。
【００２６】
左右の踏み板４７の上面４７ａにより凸状曲面６が形成される。凸状曲面６は、前記のように前枠４０と後枠４１と受棧４４の上面が傾斜していることにより、第２構成部品７の幅方向の略中央線（基準線）Ｘと直交する傾斜線（傾斜面）Ｙ、Ｚと基準面Ｗとの角度α、βは、前後方向（歩行方向）に向かうに従い、徐々に増加して所定の最大傾斜角度となった後に、前記最大傾斜角度から徐々に減少する折曲面に形成されている。したがって、凸状曲面６の前記傾斜線Ｙ、Ｚは、幅方向の略中央線（基準線）から下方向に傾斜している。
【００２７】
また、本実施例１においては、凸状曲面６は、幅方向の略中央線（基準線）に対して略左右対称に形成されている。
【００２８】
前記第３構成部品９は木製で、図９、図１０に示すように、前枠５０と後枠５１を有し、前枠５０と後枠５１間に側板５２、５２が配設され、側板５２、５２は、前枠５０、後枠５１にボルト５３により固着されている。前枠５０と後枠５１の横幅は、前記第１構成部品５の前枠３０と後枠３１の横幅と略同等に設定されている。また、前枠５０と後枠５１は、前記本体部３における中間棧１４の上面に載置するように設定されている。前記側板５２、５２間には、所定の間隔で受棧５４が複数配設され、受棧５４は側板５２、５２にボルト５８により固着されている。前枠５０と後枠５１の左右の両側部には、ボルト挿通穴５０ａ、５１ａが設けられ、ボルト挿通穴５０ａ、５１ａには、丸ナット５０ｂ、５１ｂが固設されている。
【００２９】
前枠５０と後枠５１と受棧５４は、図１１に示すように、その上面を、左右方向の中央部（基準線）Ｘに向って下方に傾斜する傾斜面５５ａ、５５ｂとした凹状の五角形に形成されている。前記第１構成部品５の基準面Ｗと、左右の傾斜面５５ａ、５５ｂとのそれぞれの角度γ、δは略同じ値となるように設定してもよいし、異なる値に設定しても良いが、本実施例１においてはγ＝δに設定されている。
【００３０】
前枠５０における傾斜面５５ａ、５５ｂの傾斜角度、すなわち、基準面Ｗとの角度（以下、傾斜角度ともいう）γ、δは、所望に設定し、本実施例１においては、γ＝δ＝２．５°に設定されている。後枠５１における傾斜面５５ａ、５５ｂと基準面Ｗとの角度（以下、傾斜角度ともいう）γ、δは、所望に設定し、本実施例１においては、γ＝δ＝約０°、つまり、前記本体部３の中間棧１４の上面と同様に略水平面に形成されている。
【００３１】
最前端に位置する受棧５４ｃにおける傾斜面５５ａ、５５ｂと基準面Ｗとの角度γ、δは、前枠５０における傾斜面５５ａ、５５ｂの傾斜角度γ、δよりも大きく設定し、本実施例１においては５°に設定されている。各受棧５４における傾斜面５５ａ、５５ｂの傾斜角度γ、δは、前枠５０側から中間受棧（前方Ａから４番面に位置する受棧）５４ｅに至るほど徐々に増加し、中間受棧５４ｅにおいて所定の最大の傾斜角度となるまで増加するように設定され、所定の最大の傾斜角度に至った後は、後枠５１に至るほど徐々に減少するように設定されている。本実施例１においては、隣接する受棧５４における傾斜面５５ａ、５５ｂの傾斜角度γ、δとの差は２．５度に設定され、中間受棧５４ｅにおける最大の傾斜角度は１２．５度に設定されている。つまり、最前端に位置する受棧５４ｃの傾斜面５５ａ、５５ｂの傾斜角度γ、δは５度に設定され、受棧５４における傾斜面５５ａ、５５ｂの傾斜角度γ、δは、中間受棧５４ｅに至るほど２．５度ずつ徐々に増加していき、最大の傾斜角度は１２．５度となるまで増加する。また、中間受棧５４ｅから後棧５１に至る受棧５４における傾斜面５５ａ、５５ｂの傾斜角度γ、δは、中間受棧５４ｅにおける最大の傾斜角度１２．５度から後枠５１に至るほど２．５度ずつ徐々に減少していき、最後端に位置する受棧５４ｄの傾斜面５５ａ、５５ｂの傾斜角度γ、δは２．５度に設定されている。
【００３２】
前枠５０と後枠５１と受棧５４における傾斜面５５ａ、５５ｂの上面には、各々略同じ大きさの踏み板５７、５７が設けられている。踏み板５７は、その下面に溝を設け、該溝に前記前枠５０、後枠５１、受棧５４を嵌合して、傾斜面５５ａ、５５ｂの上面にボルト５９により固着されている。踏み板５７の前後方向の幅は、受棧５４、５４間の距離よりも若干短く設定され、踏み板５７の左右方向の幅は、前記傾斜面５５ａ、５５ｂの長さより大きく設定されている。
【００３３】
左右の踏み板５７の上面５７ａにより凹状曲面８が形成される。凹状曲面８は、前記のように前枠５０と後枠５１と受棧５４の上面が傾斜していることにより、第３構成部品９の幅方向の略中央線（基準線）Ｘと直交する傾斜線（傾斜面）Ｙ、Ｚと基準面Ｗとの角度γ、δは、前後方向（歩行方向）に向かうに従い、徐々に増加して所定の最大傾斜角度となった後に、前記最大傾斜角度から徐々に減少する折曲面に形成されている。また、凹状曲面８の前記傾斜線Ｙ、Ｚは、幅方向の略中央線（基準線）から上方向に傾斜している。
【００３４】
また、本実施例１においては、凹状曲面８は、中央線（基準線）Ｘに対して略左右対称に形成されている。
【００３５】
前記本体部３の側枠１０ａ、１０ｂの間で、かつ、前棧１１、後棧１２、中間棧１４の上面には、図１、図１２に示すように、前側Ａ方向から順に第１構成部品５、第３構成部品９、第２の構成部品７、前後の向きを逆にした第３構成部品９、第１構成部品５が配設されている。
【００３６】
側枠１０ａ、１０ｂには、第１構成部品５、第２構成部品７、第３の構成部品９の前枠３０、４０、５０と後枠３１、４１、５１の両端に設けられた前記ボルト挿通穴３０ａ、３１ａ、４０ａ、４１ａ、５０ａ、５１ａに対応するボルト挿通穴１０ｃが設けられている。ボルト６０を、側枠１０ａ、１０ｂのボルト挿通穴１０ｃ及び構成部品５、７、９の各ボルト挿通穴３０ａ、３１ａ、４０ａ、４１ａ、５０ａ、５１ａに挿通し、各
丸ナット３０ｂ、３１ｂ、４０ｂ、４１ｂ、５０ｂ、５１ｂに螺合する。これにより、第１構成部品５、第２構成部品７、第３の構成部品９は、本体部３に脱着可能に固着される。ボルト６０及び丸ナット３０ｂ、３１ｂ、４０ｂ、４１ｂ、５０ｂ、５１ｂにより、連結手段６１を構成する。
【００３７】
上記の構成により、歩行面の片側に、内側が下降する傾斜面から外側が下降する傾斜面に緩やかに移行し、更に、外側が下降する傾斜面から内側が下降する傾斜面に緩やかに移行する波状の面が形成され、かつ、この面が歩行面の両側において左右対称に形成される。
【００３８】
本実施例１のバランス訓練用歩行具１は、上記の構造を有しているために、次のような作用、効果を奏する。
【００３９】
本実施例１のバランス訓練用歩行具１は、公園等の屋外や室内で使用することが出来る。
前記のバランス訓練用歩行面２は、段差が少なく、緩やかな曲面で形成されており、また、左右に手すり２４、２４が配設されていることにより、筋力トレーニングが難しい高齢者でも、手すり２４に掴まりながら歩行でき、躓いて転倒することが少なく、バランス訓練用歩行面２の上を安全に歩行できる。
【００４０】
また、歩行面における中央から一方の片側の面に歩行者の一方の片足を位置させ、他方の片側に他方の足を位置させて歩行することにより、凸状曲面６上を歩行する際には、左右の足関節が内側方向に傾斜し、つまり、足の裏の外側方向が下側に、内側方向が上側となるように傾斜（内反）する。また、凹状曲面８上を歩行する際には、左右の足関節が外側方向に傾斜し、つまり、足の裏の内側方向が下側に、外側方向が上側となるように傾斜（外反）する。また、凸状曲面６及び凹状曲面８上を歩行することにより、足関節の底屈（つま先が下がる）したりや背屈（つま先が上がる）したりする。
【００４１】
これにより、下腿三頭筋や足関節の内反、外反、底屈、背屈に関係する筋肉等をストレッチできる。
【００４２】
また、凸状曲面６及び凹状曲面８上に対し、足を載せる位置や方向が変化することによって、大腿、下腿、足関節の角度や動きが、種々に変化する。
【００４３】
このようなバランス訓練用歩行面２上を歩行する訓練を行なうことにより、水平でない不安定な面においても歩行することができるようになり、バランス能力の向上を図ることができる。
【００４４】
また、凸状曲面６と凹状曲面８は、中央線（基準線）Ｘに対して略左右対称に形成されていることにより、身体の左右をバランス良くストレッチすることができ、バランス能力のより一層の向上を図ることが出来る。
【００４５】
従って、本実施例１のバランス訓練用歩行具１は、筋力トレーニングが難しい高齢者でも、安全に使用でき、かつ、高齢者への負担が少ないゆっくりとしたペースでバランス能力の向上を図ることが出来る。
【実施例２】
【００４６】
前記実施例１においては、前記本体部３の上部に、前側方向から順に第１構成部品５、第３構成部品９、第２の構成部品７、第３構成部品９、第１構成部品５が配設されているが、前後端に第１構成部品５が位置すればよく、その間の配列の順番は任意で、例えば、前側から順に第２構成部品７、第３の構成部品９、第２構成部品７としても良いし、前側から順に第３構成部品９、第３の構成部品９、第２構成部品７としても良い。また、第２構成部品７と第３構成部品９との間に第１構成部品５を配設しても良い。つまり、本体部３の上部に、第１構成部品５と第２構成部品７と第３の構成部品９を連続的又は不連続的に配設してもよい。
【００４７】
また、訓練者の状態に応じて、ボルト６０を取外して、側枠１０ａ、１０ｂから第１構成部品５、第２構成部品７、第３の構成部品９を取外し、凸状曲面６や凹状曲面８の傾斜の角度が急なものや緩やかなものを有する構成部品に置き換えても良い。
【００４８】
その他の部材については、前記実施例１と同様の構造を有するため、その説明を省略する。
【００４９】
また、本実施例２においても、前記実施例１と同様の作用、効果を奏する。
【実施例３】
【００５０】
前記実施例１においては、基準線Ｘを歩行面における左右方向の略中央に設定したが、略中央ではなく左右のいずれかに偏芯した位置に基準線を設定しても良い。
【００５１】
その他の部材については、前記実施例１、２と同様の構造を有するため、その説明を省略する。
【００５２】
また、本実施例３においても、前記実施例１、２と同様の作用、効果を奏する。
【実施例４】
【００５３】
図１３は実施例４を示す。
前記実施例１においては、歩行面の左右方向の傾斜を、中央線（基準線）Ｘに対して略左右対称に形成し、中央線と直交する２方向の傾斜線（傾斜面）を設けたが、本実施例４におけるバランス訓練用歩行面６２は、基準線を設けず、歩行方向（前後方向）に直交する一端側から他端側にむかって傾斜する一つの傾斜線で形成したものである。
【００５４】
本実施例４は、前記本体部３の前棧１１、後棧１２、中間棧１４上面に、前記実施例１の第２構成部品７、第３の構成部品９の換わりに第４の構成部品６５と第４構成部品６５の前後の向きを逆にしたものとを交互に載置したものである。
【００５５】
前記第４構成部品６５は木製で、図１３に示すように、前枠７０と後枠７１を有し、前枠７０と後枠７１間に側板７２、７２が配設され、側板７２、７２は、前枠７０、後枠７１にボルト７３により固着されている。前枠７０と後枠７１の横幅は、前記第１構成部品５の前枠３０と後枠３１の横幅と略同等に設定されている。また、前枠７０と後枠７１は、前記本体部３の中間棧１４の上面に載置するように設定されている。
【００５６】
前記側板７２、７２間には、所定の間隔で受棧７４が複数配設され、受棧７４は側板７２、７２にボルト７８により固着されている。前枠７０と後枠７１の左右の両側部には、ボルト挿通穴７０ａ、７１ａが設けられ、ボルト挿通穴７０ａ、７１ａには、丸ナット７０ｂ、７１ｂが固設されている。
【００５７】
前枠７０と受棧７４は、図１３に示すように、その上面を左右方向に向って傾斜する傾斜面とした四角形に形成されている。前枠７０における傾斜面の傾斜角度、すなわち、基準面Ｗとの角度（以下、傾斜角度ともいう）は、所望に設定し、本実施例４においては、２．５°に設定されている。また、後枠７１における傾斜面と基準面Ｗとの角度は、所望に設定し、本実施例４においては、２．５°に設定されている。
【００５８】
最前端と最後端に位置する受棧７４ｃ、７４ｄにおける傾斜面と基準面Ｗとの角度は、前枠７０と後枠７１における傾斜面の傾斜角度よりも大きく設定し、本実施例４においては５°に設定されている。各受棧７４における傾斜面の傾斜角度は、前枠７０側から前後方向の中間に位置する受棧７４ｅに至るほど徐々に増加し、所定の最大の傾斜角度となるまで増加するように設定され、所定の最大の傾斜角度に至った後は、後枠７１に至るほど徐々に減少するように設定されている。本実施例４においては、隣接する受棧７４における傾斜面の傾斜角度との差は２．５度に設定され、中間に位置する受棧７４ｅにおける最大の傾斜角度は１２．５度に設定されている。つまり、最前端に位置する受棧７４ｃの傾斜面の傾斜角度は５度に設定され、受棧７４における傾斜面の傾斜角度は、中間に位置する受棧７４ｅに至るほど２．５度ずつ徐々に増加していき、最大の傾斜角度は１２．５度となるまで増加する。また、中間に位置する受棧７４ｅから後枠７１に至る受棧７４における傾斜面の傾斜角度は、中間に位置する受棧７４ｅにおける最大の傾斜角度１２．５度から後枠７１に至るほど２．５度ずつ徐々に減少していき、最後端に位置する受棧７４ｄの傾斜面の傾斜角度は５度に設定されている。
【００５９】
前枠７０と後枠７１と受棧７４における傾斜面の上面には、各々略同じ大きさの踏み板７７が設けられている。踏み板７７は、その下面に溝を設け、該溝に前記前枠７０、後枠７１、受棧７４を嵌合して、傾斜面の上面にボルト７９により固着されている。踏み板７７の前後方向の幅は、受棧７４間の距離よりも若干短く設定され、踏み板７７の左右方向の幅は、前記傾斜面の左右方向の長さより大きく設定されている。
【００６０】
踏み板７７の上面７７ａにより曲面６６が形成される。該曲面６６は、前記のように前枠７０と後枠７１と受棧７４の上面が傾斜していることにより、第４構成部品６５の進行方向Ｘに直交する傾斜線（傾斜面）Ｙと基準面Ｗとの角度は、進行方向（前後方向）に向かうに従い、徐々に増加して所定の最大傾斜角度となった後に、前記最大傾斜角度から徐々に減少する折曲面に形成されている。
【００６１】
その他の部材については、前記実施例１乃至３と同様の構造を有するため、その説明を省略する。
【００６２】
バランス訓練用歩行面６２は、段差が少なく、緩やかな曲面で形成されており、また、左右に手すり２４、２４が配設されていることにより、筋力トレーニングが難しい高齢者でも、手すり２４に掴まりながら歩行でき、躓いて転倒することが少なく、バランス訓練用歩行面６２の上を安全に歩行できる。
【００６３】
また、曲面６６上を歩行することにより、前記実施例１と同様に、足関節が内反したり、外反したり、底屈したり、背屈する。これにより、下腿三頭筋や足関節の内反、外反、底屈、背屈に関係する筋肉等をストレッチできる。
【００６４】
曲面６６上に足を載せる位置や方向によって、大腿、下腿、足関節の角度や動きが、種々に変化する。
【００６５】
このようなバランス訓練用歩行面６２上を歩行する訓練を行なうことにより、水平でない不安定な面においても歩行することができるようになり、バランス能力の向上を図ることができる。
【００６６】
従って、筋力トレーニングが難しい高齢者でも、安全に使用でき、かつ、高齢者への負担が少ないゆっくりとしたペースでバランス能力の向上を図ることが出来る。
【実施例５】
【００６７】
図１４乃至図２０は実施例５を示す。
図１４は、本実施例５のバランス訓練用歩行具１０１の斜視図である。
【００６８】
バランス訓練用歩行具１０１は、本体部３と、基準面Ｗとなる水平面４を有する第１構成部品５と、複数の可動面１０３を有する第５構成部品１０５と第６の構成部品１０７とで構成されている。バランス訓練用歩行具１０１における第５構成部品１０５及び第６の構成部品１０７を配列した状態における前後方向の長さは、前記実施例１のバランス訓練用歩行具１における第３の構成部品９及び第２構成部品７及び第３の構成部品９を配列した状態における前後方向の長さと略同等になるように設定されている。
【００６９】
前記第５構成部品１０５は木製で、図１５、図１６に示すように、前枠１１０と後枠１１１を有し、前枠１１０と後枠１１１間の両側部に側板１１２、１１２が前後方向に配設され、側板１１２、１１２間に棧１１４、１１４が前後方向に配設されている。該側板１１２、１１２と棧１１４、１１４は、前枠１１０、後枠１１１にボルト１１５により固着されている。側板１１２、１１２と棧１１４、１１４の上面は略同一面となるように配置されている。前枠１１０と側枠１１２、１１２の左右の両側部には、ボルト挿通穴１１０ａ、１１２ａが設けられ、ボルト挿通穴１１０ａ、１１２ａには、丸ナット１１０ｂ、１１２ｂが固設されている。
【００７０】
前枠１１０と後枠１１１の横幅は、前記第１実施例の第１構成部品５の前枠３０と後枠３１の横幅と略同等に設定されている。また、前枠１１０と後枠１１１は、前記第１実施例の中間棧１４の上面に載置するように設定されている。
【００７１】
側板１１２、１１２と棧１１４、１１４の上面には、図１５、図１６に示すように、固定板１１６、可動面１０３を有する第１可動板１１７と第２可動板１１８と第３可動板１１９が不規則に配置されている。
【００７２】
固定板１１６は、図１７に示すように、踏み板１２０と、該踏み板１２０の裏面に固着した脚１２１、１２１で構成されている。踏み板１２０の上面形状は、図１６に示すように、歩行方向に長尺の長方形に形成され、その左右方向の長さは、側板１１２と棧１１４の間の幅よりも大きく設定されている。また、踏み板１２０の前後方向の長さは、歩行者の足裏の大きさよりも大きく、歩幅よりも短い長さに設定され、本実施例５においては３００ｍｍに設定されている。また、踏み板１２０の上面１２０ａは、基準面Ｗと略同一面となるように形成されている。
【００７３】
脚１２１、１２１は、図１６、図１７に示すように、踏み板１２０の前部と後部で、かつ、踏み板１２０と前記側板１１２及び棧１１４との間で、かつ、左右方向に配設され、ボルト１２３により側板１１２及び棧１１４に固着され、ボルト１２２により踏み板１２０に固着されている。
【００７４】
第１可動板１１７は、踏み板１２５と、該踏み板１２５の裏面に設けた回動手段１２６と付勢手段１２７とストップ部材１２８で構成されている。
【００７５】
踏み板１２５の上面形状は、図１６に示すように、歩行方向に長尺の長方形に形成され、その左右方向の長さは、側板１１２と棧１１４の間の幅よりも大きく設定されている。また、踏み板１２５の前後方向の長さは、歩行者の足裏の大きさよりも大きく、歩幅よりも短い長さに設定され、本実施例５においては４７７．５ｍｍに設定されている。また、踏み板１２５の上面１２５ａは、基準面Ｗと略同一面となるように形成されている。踏み板１２５の上１２５ａが、可動面１０３を形成する。
【００７６】
回動手段１２６は、図１７に示すように、踏み板１２５の略中心に１個設けられ、図１８に示すように、下部材１３０ａが棧１１４の上面に固着されている。回動手段１２６は、図１８（ｂ）に示すように、上部材１３０がその下部に設けられた球状の回転軸１３１を下部材１３０ａに全方向回転可能に遊嵌し、下部材１３０ａを中心として全方向に回動できるようになっている。上部１３０は、踏み板１２５の下面にボルト１３２により固着されている。
【００７７】
付勢手段１２７は、回動手段１２６の近傍で、回動手段１２６から等距離の４隅に４個配設されている。本実施例５において、付勢手段１２７としてバネ部材を用いている。付勢手段１２７は、上下に圧縮された状態で、その上部を踏み板１２５の下面にボルト１３４により固着され、その下部を棧１１４の上面にボルト１３５により固着されている。踏み板１２５は、４個の付勢手段１２７により上方に付勢されていることにより、踏み板１２５の上面１２５ａは、上面から荷重のかかっていない状態において、基準面Ｗ（水平面４）と略同一面となる。
【００７８】
ストップ部材１２８は、踏み板１２５の４隅で、かつ、側板１１２及び棧１１４の上面に位置するように４個配設され、踏み板１２５の裏面にボルト１３７により固設されている。ストップ部材１２８は、弾性部材で形成され、本実施例５においては、ゴム材で形成されている。ストップ部材１２８の裏面と、側板１１２及び棧１１４の上面との間には空間が形成されている。ストップ部材１２８の裏面と、側板１１２及び棧１１４の上面との距離は、任意に設定するが、本実施例５においては、１１．３〜１３．５ｍｍに設定されている。
【００７９】
これにより、第１可動板１１７は、上部から荷重が掛かると、回動手段１２６を中心として、基準面Ｗから全方向に傾斜することができ、無荷重の状態に戻ると、付勢手段１２７により、第１可動板１１７の上面１２５ａは基準面Ｗ（水平面４）と略同一面に戻る。また、上面１２５ａに対する荷重の位置により、上面１２５ａの傾斜方向が変化する。また、第１可動板１１７が傾斜した際に、ストップ部材１２８の裏面が、側板１１２及び棧１１４の上面に当接する。ストップ部材１２８の裏面と側板１１２及び棧１１４の上面との距離が、１１．３〜１３．５ｍｍに設定されていることにより、第１可動板１１７が傾斜した際のその傾斜側端と、水平状態における他の可動板１１７、１１８、１１９や固定板１１６との段差は、１１．３〜１３．５ｍｍとなる。また、第１可動板１１７の最大傾斜角度は、３〜４°となるように設定されている。
【００８０】
第２可動板１１８は、図１７に示すように、踏み板１４０と、該踏み板１４０の裏面に設けた回動手段１２６と付勢手段１２７とストップ部材１２８で構成されている。
【００８１】
踏み板１４０の上面形状は、図１６に示すように、歩行方向に短尺の長方形に形成され、その左右方向の長さは、側板１１２と棧１１４の間の幅よりも大きく設定されている。また、踏み板１４０の前後方向の長さは、歩行者の足裏の大きさよりも大きく、歩幅よりも短い長さに設定され、本実施例５においては３００ｍｍに設定されている。また、踏み板１４０の上面１４０ａは、基準面Ｗと略同一面となるように形成されている。踏み板１４０の上面１４０ａが、可動面１０３を形成する。
【００８２】
回動手段１２６は、踏み板１４０の左右方向の略中心で、かつ、踏み板１４０前部と後部に２個設けられ、棧１１４の上面に固着されている。また、付勢手段１２７は、踏み板１４０の中央付近で、かつ、その中心から等距離の４隅に４個配設されている。ストップ部材１２８は、踏み板１４０の４隅で、かつ、側板１１２及び棧１１４の上面に位置するように４個配設されている。
【００８３】
これにより、第２可動板１１８は、その左右方向の端部において上部から荷重が掛かると、前後の回動手段１２６を中心として、基準面Ｗから左右方向（幅方向）の２方向に傾斜することができ、無荷重の状態に戻ると、付勢手段１２７により、第２可動板１１８の上面１４０ａは基準面Ｗ（水平面４）と略同一面に戻る。
【００８４】
第２可動板１１８が傾斜した際のその傾斜側端部と、水平状態における他の可動板１１７、１１８、１１９や固定板１１６との段差は、１１．３〜１３．５ｍｍとなるように設定され、第２可動板１１８の最大傾斜角度は、３〜４°となるように設定されている。
【００８５】
第３可動板１１９は、図１７に示すように、踏み板１４２と、踏み板１４２の裏面に設けた回動手段１２６と付勢手段１２７とストップ部材１２８で構成されている。
【００８６】
踏み板１４２の上面形状は、図１６に示すように、歩行方向に長尺の長方形に形成され、その左右方向の長さは、側板１１２と棧１１４の間の幅よりも大きく設定されている。また、踏み板１４２の前後方向の長さは、歩行者の足裏の大きさよりも大きく、歩幅よりも短い長さに設定され、本実施例１においては４７７．５ｍｍに設定されている。また、踏み板１４２の上面１４２ａは、基準面Ｗと略同一面となるように形成されている。踏み板１４２の上面１４２ａが、可動面１０３を形成する。
【００８７】
回動手段１２６は、踏み板１４２の前後方向の略中心で、かつ、その左右方向に２個設けられ、棧１１４の上面に固着されている。また、付勢手段１２７は、踏み板１４２の中央付近で、かつ、その中心から等距離の４隅に４個配設されている。ストップ部材１２８は、踏み板１４２の４隅で、かつ、側板１１２及び棧１１４の上面に位置するように４個配設されている。
【００８８】
これにより、第３可動板１１９は、上部から荷重が掛かると、左右の回動手段１２６を中心として、基準面Ｗから前後方向（歩行方向）の２方向に傾斜することができ、無荷重の状態に戻ると、付勢手段１２７により、第３可動板１１９の上面１４２ａは基準面Ｗ（水平面４）と略同一面に戻る。
【００８９】
第３可動板１１９が傾斜した際の傾斜側端部と、水平状態における他の可動板１１７、１１８、１１９や固定板１１６との段差は、１１．３〜１３．５ｍｍとなるように設定され、第３可動板１１９の最大傾斜角度は、３〜４°となるように設定されている。
【００９０】
前記第６構成部品１０７は木製で、図１９、図２０に示すように、前枠１５０と後枠１５１を有し、前枠１５０と後枠１５１間の両側部に側板１５２、１５２が前後方向に配設され、側板１５２、１５２間に棧１５４、１５４が前後方向に配設されている。該側板１５２、１５２と棧１５４、１５４は、前枠１５０、後枠１５１にボルト１５５により固着されている。側板１５２、１５２と棧１５４、１５４の上面は略同一面となるように配置されている。後枠１５１と側枠１５２、１５２の左右の両側部には、ボルト挿通穴１５１ａ、１５２ａが設けられ、ボルト挿通穴１５１ａ、１５２ａには、丸ナット１５１ｂ、１５２ｂが固設されている。
【００９１】
前枠１５０と後枠１５１の横幅は、前記実施例１の第１構成部品５の前枠３０と後枠３１の横幅と略同等に設定されている。また、前枠１５０と後枠１５１は、前記実施例１の中間棧１４の上面に載置するように設定されている。
【００９２】
側板１５２、１５２と棧１５４、１５４の上面には、図１９、図２０に示すように、前記第５構成部品１０５と同様の固定板１１６、第１可動板１１７、第２可動板１１８、第３可動板１１９が不規則に載置され、前記第５構成部品１０５とはそれらの配置位置が異なる。
【００９３】
前記実施例１の本体部３の前棧１１、後棧１２、横棧１４上部には、図１４に示すように、前側Ａ方向から順に第１構成部品５、第５構成部品１０５、第６の構成部品１０７、第１構成部品５が配設されている。
【００９４】
前記実施例１と同様に、ボルト６０を、側枠１０ａ、１０ｂのボルト挿通穴１０ｃ及び構成部品５、１０５、１０７の各ボルト挿通穴３０ａ、３１ａ、１１０ａ、１１２ａ、１５１ａ、１５２ａに挿通し、各丸ナット３０ｂ、３１ｂ、１１０ｂ、１１２ｂ、１５１ｂ、１５２ｂに螺合する。これにより、第１構成部品５、第５構成部品１０５、第６の構成部品１０７は、本体部３に脱着可能に固着される。ボルト６０及び丸ナット３０ｂ、３１ｂ、１１０ｂ、１１２ｂ、１５１ｂ、１５２ｂにより、連結手段１６１を構成する。
【００９５】
その他の部材については、前記実施例１乃至４と同様の構造を有するため、同様の符号を付してその説明を省略する。
【００９６】
本実施例５のバランス訓練用歩行具１０１は、上記の構造を有しているために、次のような作用、効果を奏する。
【００９７】
本実施例５のバランス訓練用歩行具１０１は、公園等の屋外や室内で使用することが出来る。
バランス訓練用歩行面１０２の可動板１１７、１１８、１１９が傾斜した際の傾斜側端部と、水平状態における他の可動板１１７、１１８、１１９や固定板１１６との段差は、１１．３〜１３．５ｍｍとなるように設定され、可動板１１７、１１８、１１９の最大傾斜角度は、３〜４°となるように設定されている。これにより、バランス訓練用歩行面１０２上の段差は小さく、可動板１１７、１１８、１１９の傾斜角度も緩やかで、かつ、左右に手すり２４、２４が配設されていることにより、筋力トレーニングが難しい高齢者でも、手すり２４に掴まりながら歩行でき、躓いて転倒することが少なく、バランス訓練用歩行面１０２の上を安全に歩行できる。
【００９８】
また、バランス訓練用歩行面１０２上を歩行すると、バランス訓練用歩行面１０２を構成する可動板１１７、１１８、１１９が傾斜し、足関節が内側方向に傾斜し、つまり、足の裏の外側方向が下側に、内側方向が上側となるように傾斜（内反）したり、足関節が外側方向に傾斜し、つまり、足の裏の内側方向が下側に、外側方向が上側となるように傾斜（外反）したり、足関節が底屈（つま先が下がる）したり、背屈（つま先が下がる）したりする。
【００９９】
これにより、下腿三頭筋や足関節の内反、外反、底屈、背屈に関係する筋肉等をストレッチできる。
【０１００】
バランス訓練用歩行面１０２の可動板１１７、１１８、１１９上に対する足を乗せる位置や方向によって、可動板１１７、１１８、１１９の傾斜が変化することにより、大腿、下腿、足関節の角度や動きが、種々に変化する。このような、バランス訓練用歩行面１０２上で歩行訓練することにより、水平でない面においても歩行できるようになり、バランス能力の向上を図ることが出来る。
【０１０１】
また、可動板１１７、１１８、１１９が、不規則に配置されていることにより、足を乗せるまで可動板１１７、１１８、１１９の傾斜方向が予測できない。このような、バランス訓練用歩行面１０２上で歩行訓練することにより、予測できない外乱刺激が加わった場合においても、バランスを保持しようとしながら歩行できるようになり、日常生活における床面（地面）の状況変化に対応できるようになり、バランス能力の向上を図ることが出来る。
【０１０２】
従って、本実施例５のバランス訓練用歩行面１０２およびこれを用いたバランス訓練用歩行具１０１は、筋力トレーニングが難しい高齢者でも、安全に使用でき、かつ、高齢者への負担が少ないゆっくりとしたペースでバランス能力の向上を図ることが出来る。
【０１０３】
また、バランス訓練用歩行具１０１における第５構成部品１０５及び第６の構成部品１０７を配列した状態における前後方向の長さは、前記実施例１のバランス訓練用歩行具１における第３の構成部品９及び第２構成部品７及び第３の構成部品９を配列した状態における前後方向の長さと略同等になるように設定されている。また、構成部品１０５、１０７が、連結手段１６１により本体部３に対して脱着可能に固着されている。
【０１０４】
これにより、本体部３を共通部品として、構成部品７、９、１０５、１０７を容易に取り替えることができる。また、構成部品７、９、１０５、１０７を取替えることのみで、前記実施例５のバランス訓練用歩行具１０１から本実施例１乃至４のバランス訓練用歩行具１へと容易に変更できる。
【０１０５】
これにより、構成部品を複数種類所有し、所望の構成部品を本体部に組付けることにより、週単位又は日単位で歩行訓練のメニューを変更でき、歩行訓練に変化をもたらすことができる。また、訓練者の状態に応じて、構成部品を組み替えることにより、容易に歩行訓練のメニューを変更できる。また、複数のバランス訓練用歩行具を設置できない場合においても、１つの本体部３に対して構成部品を組み替えることで複数の訓練メニューを実施できる。また、複数のバランス訓練用歩行具を購入する必要がなく、１つの本体部３と複数の構成部品を購入するだけでよいため、コストを削減できる。また、本体部３を共通化することにより、製造コストを削減できる。
【実施例６】
【０１０６】
前記実施例５においては、第５構成部品１０５と第６の構成部品１０７に、固定板１１６、第１可動板１１７、第２可動板１１８、第３可動板１１９を、図１４、図１５、図１７に示すように載置したが、バランス訓練用歩行面１０２は、固定板１１６、第１可動板１１７、第２可動板１１８、第３可動板１１９が不規則に配列されていれば良く、任意に設定できる。
【０１０７】
その他の部材については、前記実施例５と同様の構造を有するため、その説明を省略する。
【０１０８】
また、本実施例６においても、前記実施例５と同様の作用、効果を奏する。
【実施例７】
【０１０９】
前記実施例５、６においては、可動面１０３である第１可動板１１７、第２可動板１１８、第３可動板１１９の傾斜方向を、全方向、前後の２方向、左右の２方向に傾斜するように形成したが、傾斜方向はこの３種類に限定するものではなく、可動面１０３は、少なくとも一方向に傾斜するように形成されていればよく、例えば、前後左右のいずれか一方の端部を中心として傾斜するように形成してもよいし、可動面１０３の略中央を中心として、前後左右の４方向等に傾斜するように形成してもよい。
【０１１０】
その他の部材については、前記実施例５、６と同様の構造を有するため、その説明を省略する。
【０１１１】
また、本実施例７においても、前記実施例５、６と同様の作用、効果を奏する。
【実施例８】
【０１１２】
前記実施例５乃至７においては、可動面１０３である第１可動板１１７、第２可動板１１８、第３可動板１１９の上面形状を長方形に形成したが、長方形に限定するものではなく、任意の形状に形成することが出来、例えば、正方形、三角形や六角形等の多角形、円形、楕円形等の任意の形状に形成できる。
【０１１３】
その他の部材については、前記実施例５乃至７と同様の構造を有するため、その説明を省略する。
【０１１４】
また、本実施例８においても、前記実施例５乃至７と同様の作用、効果を奏する。
【実施例９】
【０１１５】
図２１乃至図２４は実施例９を示す。
図２１は、本実施例９のバランス訓練用歩行具１７１の斜視図である。
【０１１６】
バランス訓練用歩行具１７１は、本体部３と、基準面Ｗとなる水平面４を有する第１構成部品５と、第１歩行路１７２を有する第７構成部品１７３と、第２歩行路１７５を有する第８構成部品１７６と、第３歩行路１７７を有する第９構成部品１７８とで構成されている。第１歩行路１７２と第２歩行路１７５と第３歩行路１７７の上面により、図２１に示すように、上面形状がＸ字状のバランス訓練用歩行面１７９が形成されている。
【０１１７】
バランス訓練用歩行具１７１における第７構成部品１７３及び第８構成部品１７６及び第９構成部品１７を配列した状態における前後方向の長さは、前記実施例１のバランス訓練用歩行具１における第３の構成部品９及び第２構成部品７及び第３の構成部品９を配列した状態における前後方向の長さと略同等になるように設定されている。
【０１１８】
前記第７構成部品１７３は木製で、図２２に示すように、前枠１８０と後枠１８１を有し、前枠１８０と後枠１８１間の両側部に側板１８２、１８２が前後方向に配設され、側板１８２、１８２間に棧が前後方向に配設されている。該側板１８２、１８２と棧は、前枠１８０、後枠１８１にボルト１８３により固着されている。前枠１８０と後枠１８１の左右の両側部には、ボルト挿通穴１８０ａ、１８１ａが設けられ、ボルト挿通穴１８０ａ、１８１ａには、丸ナット１８１ｂ、１８１ｂが固設されている。なお、前枠１８０に設けられた丸ナット１８１ｂは図示されていない。
【０１１９】
前枠１８０と後枠１８１の横幅は、前記第１実施例の第１構成部品５の前枠３０と後枠３１の横幅と略同等に設定されている。また、前枠１８０と後枠１８１は、前記第１実施例の中間棧１４の上面に載置するように設定されている。
【０１２０】
前枠１８０と後枠１８１と側板１８２、１８２と棧の上面は略同一面となるように形成されている。前枠１８０と後枠１８１と側板１８２、１８２と棧の上面で、側板１８２、１８２間に亘って上板１８６が所定の間隔で配設され、上板１８６は、前枠１８０と後枠１８１と側板１８２、１８２と棧にボルト１８７により固着されている。各上板１８６の上面１８６ａは、略同一平面に形成されて、基準面Ｗ４と略同一面となるように設定され、前記実施例１の第１構成部品５の水平面４より下に位置するように設定されている。
【０１２１】
前記上板１８６の上面１８６ａには、図２１、図２２に示すように、第１歩行路１７２が配設され、第１歩行路１７２は、上板１８６にボルト１８８により固着されている。
【０１２２】
第１歩行路１７２は、前記第７構成部品１７３の前後方向全体に亘って形成され、歩行路の幅は足裏の幅よりも大きい長さに設定されている。また、第１歩行路１７２は、図２２に示すように、第７構成部品１７３の前端Ａ側は２つの歩行路で形成され、前端Ａ側における２つの歩行路間の距離は、訓練者が左右の足を各歩行路に楽に乗せることが出来る距離に設定されている。そして、２つの歩行路は、後方Ｂ側に向うにつれて歩行路間の間隔が狭くなって歩行路が合流し、１本の歩行路となって後端Ｂ側に至るように形成されている。第１歩行路１７２の上面は、前記実施例１の第１構成部品５の水平面４よりも上方に位置するように設定され、第１歩行路１７２と水平面４との段差は、本実施例においては、１２ｍｍに設定されている。
【０１２３】
また、第１歩行路１７２の上面と上板１８６の上面１８６ａとの距離は、本実施例９においては２２ｍｍに設定されている。
【０１２４】
前記第８構成部品１７６は木製で、図２３に示すように、前枠１９１と後枠１９２を有し、前枠１９１と後枠１９２間の両側部に側板１９３、１９３が前後方向に配設され、側板１９３、１９３間に棧が前後方向に配設されている。該側板１９３、１９３と棧は、前枠１９１、後枠１９２にボルト１９４により固着されている。前枠１９１と後枠１９２の左右の両側部には、ボルト挿通穴１９１ａ、１９２ａが設けられ、ボルト挿通穴１９１ａ、１９２ａには、丸ナット１９２ｂ、１９２ｂが固設されている。なお、前枠１９１に設けられた丸ナット１９２ｂは図示されていない。
【０１２５】
前枠１９１と後枠１９２の横幅は、前記第１実施例の第１構成部品５の前枠３０と後枠３１の横幅と略同等に設定されている。また、前枠１９１と後枠１９２は、前記第１実施例の中間棧１４の上面に載置するように設定されている。
【０１２６】
前枠１９１と後枠１９２と側板１９３、１９３と棧の上面は、略同一面となるように形成されている。前枠１９１と後枠１９２と側板１９３、１９３と棧の上面で、側板１９３、１９３間に亘って上板１９６が所定の間隔で配設され、上板１９６は、前枠１９１と後枠１９２と側板１９３、１９３と棧にボルト１９７により固着されている。各上板１９６の上面１９６ａは、略同一平面に形成されて、前記第７構成部品１７３の上板１８６の上面１８６ａと略同一平面となるように設定されている。
【０１２７】
前記上板１９６の上面１９６ａには、図２１、図２３に示すように、第２歩行路１７５が配設され、第２歩行路１７５は、上板１９６にボルト１９８により固着されている。
【０１２８】
第２歩行路１７５は、前記第８構成部品１７６の前後方向全体に亘って形成され、歩行路の幅は足裏の幅よりも大きい長さに設定されている。第２歩行路１７５の幅は、図２２に示すように、前側Ａから中央部に向かうにつれて、徐々に狭くなり（本実施例においては最も狭い場所における幅は１７４ｍｍに設定されている）、中央部から後側Ｂに向かうにつれて徐々に広くなるように形成されている。前端Ａ及び後端Ｂにおける第２歩行路１７５の幅は、略同じ長さに形成され、前記第１歩行路１７２の後端Ｂにおける幅と略同等の長さに形成されている。また、第２歩行路１７５の上面は、前記第１歩行路１７２の上面と略同一平面となるように形成されている。
【０１２９】
前記第９構成部品１７８は木製で、図２４に示すように、前枠２００と後枠２０１を有し、前枠２００と後枠２０１間の両側部に側板２０２、２０２が前後方向に配設され、側板２０２、２０２間に棧が前後方向に配設されている。該側板２０２、２０２と棧は、前枠２００、後枠２０１にボルト２０４により固着されている。前枠２００と後枠２０１の左右の両側部には、ボルト挿通穴２００ａ、２０１ａが設けられ、ボルト挿通穴２００ａ、２０１ａには、丸ナット２０１ｂ、２０１ｂが固設されている。なお、前枠２００に設けられた丸ナット２０１ｂは図示されていない。
【０１３０】
前枠２００と後枠２０１の横幅は、前記第１実施例の第１構成部品５の前枠３０と後枠３１の横幅と略同等に設定されている。また、前枠２００と後枠２０１は、前記第１実施例の中間棧１４の上面に載置するように設定されている。
【０１３１】
前枠２００と後枠２０１と側板２０２、２０２と棧の上面は、略同一面となるように形成されている。前枠２００と後枠２０１と側板２０２、２０２と棧の上面で、側板２０２、２０２間に亘って上板２０６が所定の間隔で配設され、上板２０６は、前枠２００と後枠２０１と側板２０２、２０２と棧にボルト２０７により固着されている。各上板２０６の上面２０６ａは、略同一平面に形成されて、前記第７構成部品１７３の上板１８６の上面１８６ａと略同一平面となるように設定されている。
【０１３２】
前記上板２０６の上面２０６ａには、図２１、図２４に示すように、第３歩行路１７７が配設され、第３歩行路１７７は、上板２０６にボルト２０８により固着されている。
【０１３３】
第３歩行路１７７は、前記第９構成部品１７８の前後方向全体に亘って形成され、歩行路の幅は足裏の幅よりも大きい長さに設定されている。また、第３歩行路１７７は、図２４に示すように、第９構成部品１７８の前端Ａ側は１つの歩行路で形成され、後方Ｂ側に向うにつれて該歩行路が２つの歩行路に分岐し、その歩行路間の間隔が徐々に広くなって後端Ｂ側に至るように形成されている。また、前端Ａにおける第３歩行路１７７の幅は、前記第２歩行路１７５の後端Ｂにおける幅と略同等の長さに形成されている。後端Ｂにおける２つの歩行路間の距離は、訓練者が左右の足を各歩行路に楽に乗せることが出来る距離に設定されている。
【０１３４】
また、第３歩行路１７７の上面は、前記第１歩行路１７２の上面と略同一平面となるように形成されている。
【０１３５】
前記実施例１の本体部３の前棧１１、後棧１２、横棧１４上部には、図２１に示すように、前側Ａ方向から順に第１構成部品５、第７構成部品１７３、第８構成部品１７６、第９の構成部品１７８、第１構成部品５が配設されている。
【０１３６】
前記実施例１と同様に、ボルト６０を、側枠１０ａ、１０ｂのボルト挿通穴１０ｃ及び構成部品５、１７３、１７６、１７８の各ボルト挿通穴３０ａ、３１ａ、１８０ａ、１８１ａ、１９１ａ、１９２ａ、２００ａ、２０１ａに挿通し、各丸ナット３０ｂ、３１ｂ、１８１ｂ、１８１ｂ、１９２ｂ、１９２ｂ、２０１ｂ、２０１ｂに螺合する。これにより、第１構成部品５、第７構成部品１７３、第８構成部品１７６、第９の構成部品１７８は、本体部３に脱着可能に固着される。ボルト６０及び丸ナット３０ｂ、３１ｂ、１８１ｂ、１８１ｂ、１９２ｂ、１９２ｂ、２０１ｂ、２０１ｂにより、連結手段２０９を構成する。
【０１３７】
その他の部材については、前記実施例１乃至８と同様の構造を有するため、同様の符号を付してその説明を省略する。
【０１３８】
本実施例９のバランス訓練用歩行具１７１は、上記の構造を有しているために、次のような作用、効果を奏する。
【０１３９】
本実施例９のバランス訓練用歩行具１７１は、公園等の屋外や室内で使用することが出来る。
バランス訓練用歩行面１７９の高さは２２ｍｍに設定され、バランス訓練用歩行面１７９と水平面４との段差は１２ｍｍに設定されていることにより、部材相互の段差は小さく、かつ、左右に手すり２４、２４が配設されていることにより、筋力トレーニングが難しい高齢者でも、手すり２４に掴まりながら歩行でき、躓いて転倒することが少なく、バランス訓練用歩行面１７９の上を安全に歩行できる。
【０１４０】
また、バランス訓練用歩行面１７９の上面が、図２１に示すようにＸ字状に形成されていることにより、２本の歩行路から徐々に１本の歩行路へと変化し、更に２本の歩行路へと変化することにより、両足開脚歩行から継足歩行へと自然に移行し、その後、自然と開脚歩行へと移行することが出来る。この継足歩行の訓練をおこなうことによって、バランス能力の向上を図ることが出来る。
【０１４１】
従って、本実施例９のバランス訓練用歩行面１７９およびこれを用いたバランス訓練用歩行具１７１は、筋力トレーニングが難しい高齢者でも、安全に使用でき、かつ、高齢者への負担が少ないゆっくりとしたペースでバランス能力の向上を図ることが出来る。
【０１４２】
また、バランス訓練用歩行具１７１における第７構成部品１７３及び第８構成部品１７６及び第９構成部品１７８を配列した状態における前後方向の長さは、前記実施例１のバランス訓練用歩行具１における第３の構成部品９及び第２構成部品７及び第３の構成部品９を配列した状態における前後方向の長さと略同等になるように設定されている。また、構成部品１７３、１７６、１７８が、連結手段２０９により本体部３に対して脱着可能に固着されている。
【０１４３】
これにより、本体部３を共通部品として、構成部品５、７、９、１０５、１０７、１７３、１７６、１７８を容易に取り替えることができる。また、構成部品７、９、１０５、１０７、１７６、１７８を取替えることのみで、本実施例９のバランス訓練用歩行具１７１から前記実施例１乃至８のバランス訓練用歩行具１、１０１へと容易に変更できる。
【０１４４】
これにより、構成部品を複数種類所有し、所望の構成部品を本体部に組付けることにより、週単位又は日単位で歩行訓練のメニューを変更でき、歩行訓練に変化をもたらすことができる。また、訓練者の状態に応じて、構成部品を組み替えることにより、容易に歩行訓練のメニューを変更できる。また、複数のバランス訓練用歩行具を設置できない場合においても、１つの本体部３に対して構成部品を組み替えることで複数の訓練メニューを実施できる。また、複数のバランス訓練用歩行具を購入する必要がなく、１つの本体部３と複数の構成部品を購入するだけでよいため、コストを削減できる。また、本体部３を共通化することにより、製造コストを削減できる。
【実施例１０】
【０１４５】
図２５乃至図２８は実施例１０を示す。
図２５は、本実施例１０のバランス訓練用歩行具２１０の斜視図である。
【０１４６】
バランス訓練用歩行具２１０は、本体部３と、基準面Ｗとなる水平面４を有する第１構成部品５と、第１０構成部品２１２と、第１１構成部品２１４と、第１２構成部品２１６とで構成されている。第１０構成部品２１２と、第１１構成部品２１４と、第１２構成部品２１６の上面によりバランス訓練用歩行面２１８が形成されている。
【０１４７】
バランス訓練用歩行具２１０における第１０構成部品２１２及び第１１構成部品２１４及び第１１構成部品２１４及び第１２構成部品２１６を配列した状態における前後方向の長さは、前記実施例１のバランス訓練用歩行具１における第３の構成部品９及び第２構成部品７及び第３の構成部品９を配列した状態における前後方向の長さと略同等になるように設定されている。
【０１４８】
前記第１０構成部品２１２は木製で、図２６に示すように、前枠２２０と後枠２２１を有し、前枠２２０と後枠２２１間の両側部に側板２２２、２２２が前後方向に配設され、側板２２２、２２２間に棧が前後方向に配設されている。該側板２２２、２２２と棧は、前枠２２０、後枠２２１にボルト２２３により固着されている。前枠２２０と後枠２２１の左右の両側部には、ボルト挿通穴２２０ａ、２２１ａが設けられ、ボルト挿通穴２２０ａ、２２１ａには、丸ナット２２１ｂ、２２１ｂが固設されている。なお、前枠２２０に設けられた丸ナット２２１ｂは図示されていない。
【０１４９】
前枠２２０と後枠２２１の横幅は、前記第１実施例の第１構成部品５の前枠３０と後枠３１の横幅と略同等に設定されている。また、前枠２２０と後枠２２１は、前記第１実施例の中間棧１４の上面に載置するように設定されている。
【０１５０】
前枠２２０と側板２２２、２２２と棧の上面は略同一面となるように形成されている。前枠２２０と側板２２２、２２２と棧の上面で、側板２２２、２２２間に亘って上板２２６が所定の間隔で配設され、上板２２６は、前枠２２０と側板２２２、２２２と棧にボルト２２７により固着されている。各上板２２６の上面２２６ａは、略同一平面に形成されて、前記実施例１の第１構成部品５の水平面４と略同一平面となるように設定されている。
【０１５１】
前記上板２２６の上面２２６ａには、図２５、図２６に示すように、複数の凸条２２８が左右方向に設けられ、かつ、前後方向に所定の間隔で配設され、凸条２２８の左右方向の長さは、上板２２６の左右方向の幅より若干短く設定されている。なお、凸条２２８は、第１０構成部品２１２の後部Ｂ付近には配設されていない。
【０１５２】
凸条２２８は、弾性部材で形成され、本実施例１０においては熱可塑性エラストマーで形成され、図２６に示すように、中空状で、かつ、その上部は半円形状に形成されている。凸条２２８は、その中空状の内部で、ボルトとナットにより、上板２２６に固着されている。凸条２２８の高さは、本実施例においては、４７ｍｍに設定されている。
【０１５３】
前記第１１構成部品２１４は、図２７に示すように、前枠２３０と後枠２３１を有し、前枠２３０と後枠２３１間の両側部に側板２３２、２３２が前後方向に配設され、側板２３２、２３２間に棧が前後方向に配設されている。該側板２３２、２３２と棧は、前枠２３０、後枠２３１にボルト２３３により固着されている。前枠２３０と後枠２３１の左右の両側部には、ボルト挿通穴２３０ａ、２３１ａが設けられ、ボルト挿通穴２３０ａ、２３１ａには、丸ナットが２３０ｂ、２３０ｂ固設されている。なお、後枠２３１に設けられた丸ナット２３０ｂは図示されていない。
【０１５４】
前枠２３０と後枠２３１の横幅は、前記第１実施例の第１構成部品５の前枠３０と後枠３１の横幅と略同等に設定されている。また、前枠２３０と後枠２３１は、前記第１実施例の中間棧１４の上面に載置するように設定されている。
【０１５５】
側板２３２、２３２と棧の上面は略同一面となるように形成されている。前枠２３０と後枠２３１と側板２３２、２３２と棧の上面で、側板２３２、２３２間に亘って棧２３６が所定の間隔で配設され、棧２３６は、前枠２３０と後枠２３１と側板２３２、２３２と棧にボルトにより固着されている。各棧２３６の上面は、略同一平面に形成されて、その上面には、下板２３８が前枠２３０から後枠２３１に亘って設けられている。
【０１５６】
下板２３８の上面には、凸凹状の歩行路２４０が固設されている。凸凹状の歩行路２４０は、図２７に示すように、多数の石様の突部を不規則に配設した凸凹状に形成されている。該凸凹状の歩行路は、樹脂で形成され、本実施例においては、ポリプロピレンを使用した。石の厚みは、本実施例においては、１７ｍｍに設定されている。
【０１５７】
前記第１２構成部品２１６は木製で、図２８に示すように、前枠２４２と後枠２４３を有し、前枠２４２と後枠２４３間の両側部に側板２４４、２４４が前後方向に配設され、側板２４４、２４４間に棧２４５が前後方向に配設されている。該側板２４４、２４４と棧２４５は、前枠２４２、後枠２４３にボルト２４７により固着されている。前枠２４２と後枠２４３の左右の両側部には、ボルト挿通穴２４２ａ、２４３ａが設けられ、ボルト挿通穴２４２ａ、２４３ａには、丸ナット２４３ｂ、２４３ｂが固設されている。なお、前枠２４２に設けられた丸ナット２４３ｂは図示されていない。
【０１５８】
前枠２４２と後枠２４３の横幅は、前記第１実施例の第１構成部品５の前枠３０と後枠３１の横幅と略同等に設定されている。また、前枠２４２と後枠２４３は、前記第１実施例の中間棧１４の上面に載置するように設定されている。
【０１５９】
側板２４４、２４４と棧２４５と後枠２４３の上面は略同一面となるように形成されている。側板２４４、２４４と棧２４５と後枠２４３の上面で、側板２４４、２４４間に亘って上板２４８が所定の間隔で配設され、上板２４８は、側板２４４、２４４と棧２４５と後枠２４３にボルト２４９により固着されている。各上板２４８の上面２４８ａは、略同一平面に形成されて、前記実施例１の第１構成部品５の水平面４と略同一平面となるように設定されている。
【０１６０】
前記上板２４８の上面２４８ａには、図２５、図２８に示すように、複数の凸条２５０が左右方向に所定の間隔で配設され、凸条２５０の左右方向の長さは、上板２４８の左右方向の幅より若干短く設定されている。なお、凸条２５０は、第１２構成部品２１６の前部Ａ付近には配設されていない。凸条２５０は、前記第１０構成部品２１２の凸条２２８と同様に形成されている。
【０１６１】
前記実施例１の本体部３の前棧１１、後棧１２、横棧１４上部には、図２５に示すように、前側Ａ方向から順に第１構成部品５、第１０構成部品２１２、第１１構成部品２１４、第１２の構成部品２１６、第１構成部品５が配設されされている。
【０１６２】
前記実施例１と同様に、ボルト６０を、側枠１０ａ、１０ｂのボルト挿通穴１０ｃ及び構成部品５、２１２、２１４、２１６の各ボルト挿通穴３０ａ、３１ａ、２２０ａ、２２１ａ、２３０ａ、２３１ａ、２４２ａ、２４３ａに挿通し、各丸ナット３０ｂ、３１ｂ、２２１ｂ、２２１ｂ、２３０ａ、２３０ａ、２４３ｂ、２４３ｂに螺合する。これにより、第１構成部品５、第１０構成部品２１２、第１１構成部品２１４、第１２の構成部品２１６は、本体部３に脱着可能に固着される。ボルト６０及び丸ナット３０ｂ、３１ｂ、２２１ｂ、２２１ｂ、２３０ａ、２３０ａ、２４３ｂ、２４３ｂにより、連結手段２５１を構成する。  
【０１６３】
その他の部材については、前記実施例１乃至９と同様の構造を有するため、同様の符号を付してその説明を省略する。
【０１６４】
本実施例１０のバランス訓練用歩行具２１０は、上記の構造を有しているために、次のような作用、効果を奏する。
【０１６５】
本実施例１０のバランス訓練用歩行具２１０は、公園等の屋外や室内で使用することが出来る。
バランス訓練用歩行具２１０は、左右に手すり２４、２４が配設されていることにより、筋力トレーニングが難しい高齢者でも、手すり２４に掴まりながら歩行でき、バランス訓練用歩行面２１８の上を安全に歩行できる。
【０１６６】
従って、本実施例１０のバランス訓練用歩行面２１８およびこれを用いたバランス訓練用歩行具２１０は、筋力トレーニングが難しい高齢者でも、安全に使用でき、かつ、高齢者への負担が少ないゆっくりとしたペースでバランス能力の向上を図ることが出来る。
【０１６７】
また、バランス訓練用歩行具２１０における第１０構成部品２１２、第１１構成部品２１４、第１２の構成部品２１６を配列した状態における前後方向の長さは、前記実施例１のバランス訓練用歩行具１における第３の構成部品９及び第２構成部品７及び第３の構成部品９を配列した状態における前後方向の長さと略同等になるように設定されている。また、構成部品２１２、２１４、２１６が、連結手段２５１により本体部３に対して脱着可能に固着されている。
【０１６８】
これにより、本体部３を共通部品として、構成部品５、７、９、１０５、１０７、１７３、１７６、１７８、２１２、２１４、２１６を容易に取り替えることができる。また、構成部品７、９、１０５、１０７、１７６、１７８、２１２、２１４、２１６を取替えることのみで、本実施例１０のバランス訓練用歩行具２１０から前記実施例１乃至９のバランス訓練用歩行具１、１０１、１７１へと容易に変更できる。
【０１６９】
これにより、構成部品を複数種類所有し、所望の構成部品を本体部に組付けることにより、週単位又は日単位で歩行訓練のメニューを変更でき、歩行訓練に変化をもたらすことができる。また、訓練者の状態に応じて、構成部品を組み替えることにより、容易に歩行訓練のメニューを変更できる。また、複数のバランス訓練用歩行具を設置できない場合においても、１つの本体部３に対して構成部品を組み替えることで複数の訓練メニューを実施できる。また、複数のバランス訓練用歩行具を購入する必要がなく、１つの本体部３と複数の構成部品を購入するだけでよいため、コストを削減できる。また、本体部３を共通化することにより、製造コストを削減できる。
【実施例１１】
【０１７０】
前記実施例１乃至１０においては、バランス訓練用歩行面２、６２、１０２、１７９、２１８を木製の板等で形成したが、金属製の板材等で形成してもよいし、型枠等を用いて樹脂により形成してもよい。
【０１７１】
また、本体部３を、前記実施例１乃至１０においては、木製で形成したが、金属で形成してもよい。
【０１７２】
その他の部材については、前記実施例１乃至１０と同様の構造を有するため、その説明を省略する。  
【０１７３】
また、本実施例１１においても、前記実施例１乃至１０と同様の作用、効果を奏する。
【図面の簡単な説明】
【０１７４】
【図１】本発明の実施例１を示すバランス訓練用歩行具の斜視図。
【図２】本発明の実施例１における本体部の斜視図。
【図３】本発明の実施例１における本体部を示すもので、（ａ）は上面図、（ｂ）は側面図、（ｃ）は正面図。
【図４】本発明の実施例１における第１構成部品の斜視図。
【図５】本発明の実施例１における第１構成部品を示すもので、（ａ）は上面図、（ｂ）は側面図、（ｃ）は正面図。
【図６】本発明の実施例１における第２構成部品の斜視図。
【図７】本発明の実施例１における第２構成部品を示すもので、（ａ）は上面図、（ｂ）は側面図、（ｃ）は正面図。
【図８】本発明の実施例１における第２構成部品の受棧と踏み板の関係を示す図。
【図９】本発明の実施例１における第３構成部品の斜視図。
【図１０】本発明の実施例１における第３構成部品を示すもので、（ａ）は上面図、（ｂ）は側面図、（ｃ）は正面図。
【図１１】本発明の実施例１における第３構成部品の受棧と踏み板の関係を示す図。
【図１２】図１から一方の側枠と支柱を取り除いた状態の側面図。
【図１３】本発明の実施例４における第４構成部品を示すもので、（ａ）は上面図、（ｂ）は側面図、（ｃ）は正面図。
【図１４】本発明の実施例５を示すバランス訓練用歩行具の斜視図。
【図１５】本発明の実施例５における第５構成部品の斜視図。
【図１６】本発明の実施例５における第５構成部品を示すもので、（ａ）は上面図、（ｂ）は側面図、（ｃ）は正面図。
【図１７】本発明の実施例５における第５構成部品の固定板、第１可動板、第２可動板、第３可動板を下側からみた斜視図。
【図１８】本発明の実施例５における第１可動板に用いる回動手段を示すもので、（ａ）は上面図、（ｂ）は側面図、（ｃ）は斜視図。
【図１９】本発明の実施例５における第６構成部品の斜視図。
【図２０】本発明の実施例５における第６構成部品を示すもので、（ａ）は上面図、（ｂ）は側面図、（ｃ）は正面図。
【図２１】本発明の実施例９を示すバランス訓練用歩行具の斜視図。
【図２２】本発明の実施例９における第７構成部品の斜視図。
【図２３】本発明の実施例９における第８構成部品の斜視図。
【図２４】本発明の実施例９における第９構成部品の斜視図。
【図２５】本発明の実施例１０を示すバランス訓練用歩行具の斜視図。
【図２６】本発明の実施例１０における第１０構成部品の斜視図。
【図２７】本発明の実施例１０における第１１構成部品の斜視図。
【図２８】本発明の実施例１０における第１２構成部品の斜視図。
【符号の説明】
【０１７５】
１、１０１、１７１、２１０  バランス訓練用歩行具
２、６２、１０２、１７９、２１８  バランス訓練用歩行面
３    本体部
５、７、９、６５、１０５、１０７、１７３、１７６、１７８、２１２、２１４、２１６  構成部品
２４  手すり
【図１】
2007143775.tif 000003
【図２】
2007143775.tif 000004
【図３】
2007143775.tif 000005
【図４】
2007143775.tif 000006
【図５】
2007143775.tif 000007
【図６】
2007143775.tif 000008
【図７】
2007143775.tif 000009
【図８】
2007143775.tif 000010
【図９】
2007143775.tif 000011
【図１０】
2007143775.tif 000012
【図１１】
2007143775.tif 000013
【図１２】
2007143775.tif 000014
【図１３】
2007143775.tif 000015
【図１４】
2007143775.tif 000016
【図１５】
2007143775.tif 000017
【図１６】
2007143775.tif 000018
【図１７】
2007143775.tif 000019
【図１８】
2007143775.tif 000020
【図１９】
2007143775.tif 000021
【図２０】
2007143775.tif 000022
【図２１】
2007143775.tif 000023
【図２２】
2007143775.tif 000024
【図２３】
2007143775.tif 000025
【図２４】
2007143775.tif 000026
【図２５】
2007143775.tif 000027
【図２６】
2007143775.tif 000028
【図２７】
2007143775.tif 000029
【図２８】
2007143775.tif 000030